(57)【要約】      （修正有）【課題】納入時に比較的楽に手間と時間をかけず組立設置ができ、デザイン的にもスマートな組立式平面ディスプレイ用マルチスタンドを提供する。【解決手段】左右角パイプ底面両四隅に移動用のキャスター８と固定用アジャスター９を取付けベースフレームセンターに嵌入孔を設けた本体台座部１と、この嵌入孔に挿入立設させる本体支柱２と、本体支柱２に本体取付金具３で挟持横設固定させる複数個のモニターフレーム４からなり、各々の各部材をボルトにて組立接続し、モニター取付金具５を平面ディスプレイＡの背面取付用インサートナットに螺合付設させた状態で、モニターフレーム４に掛止固定させることを構造とする。【選択図】図１
0003182916.tif 000002
【実用新案登録請求の範囲】
【請求項１】
液晶ディスプレイやプラズマディスプレイパネル等を複数台設置するマルチスタンドに於いて、左右角パイプ底面両四隅に移動用のキャスターと固定用アジャスターを取付けベースフレームセンターに嵌入孔を設けた本体台座部と、前記嵌入孔に挿入立設させる本体支柱と、前記本体支柱に本体取付金具で狭持横設固定させる複数個のモニターフレームからなり、各々の各部材をボルトにて組立接続し、モニター取付金具を平面ディスプレイの背面取付用インサートナットに螺合付設させた状態で、前記モニターフレームに掛持固定させることを構造とした平面ディスプレイ用マルチスタンド。
【考案の詳細な説明】
【技術分野】
【０００１】  本考案は、液晶ディスプレイやプラズマディスプレイパネル等を複数台組合せ、一つの大画面として映像等を表示する組立式の平面ディスプレイ用マルチスタンドに関する。
【背景技術】
【０００２】  従来店舗や展示会、公共施設等などで使用され、複数台の平面ディスプレイを組合せ一つの大画面として設置するマルチスタンドは、一般的に床面に設置する台座ベース部の左右両側後方部寄りに支柱を立設固定させ、その支柱間に貫通孔を施した複数個の接続バーや取付パネルを横架接続し、そこに平面ディスプレイの背面取付用インサートナットを利用して固定設置させ、それを上下に積み重ねたり横に並べて接続する構造がとられている。【０００３】  しかしながら、この構造だと平面ディスプレイのトータル荷重に対する強度を考慮するあまり、スタンドの各々の部材自体が大きな一体型形状となり質量も重くなる為、納入組立設置時の作業に手間と時間がかかり、またデザイン的にもスマートさにかけるという問題があった。
【考案の概要】
【考案が解決しようとする課題】
【０００４】  本考案は、上記問題点を鑑みなされたもので納入時に比較的楽に手間と時間をかけず組立設置でき、耐荷重的な強度を落とすことなくデザイン的にもスマートな組立式の平面ディスプレイ用マルチスタンドを提供しようとするものである。
【課題を解決するための手段】
【０００５】  本考案の平面ディスプレイ用マルチスタンドは、左右角パイプ底面両四隅に移動用のキャスターと固定用アジャスターを取付けベースフレームセンターに嵌入孔を設けた本体台座部と、前記嵌入孔に挿入立設させる本体支柱と、本体取付金具で本体支柱に横設挟持固定させる複数個のモニターフレームからなり、各々の各部材をボルトにて組立接続し、モニター取付金具を平面ディスプレイの背面取付用インサートナットに螺合付設させた状態で、前記モニターフレームに掛止固定させることを構造とする。
【考案の効果】
【０００６】  本考案の効果として、各部材が、本体台座部、本体支柱、モニターフレーム、本体取付金具、モニター取付金具と分離できるので納入や運搬が楽であり、組立設置も各々ボルト止めの為、作業に手間と時間がかからず簡単にできる。又、本体支柱を本体台座部のベースフレームセンターの嵌入孔に挿入立設させてボルトで固定するので、見た目以上に強度がありデザイン的にもすっきりとした印象を与える。
【図面の簡単な説明】
【０００７】
【図１】本考案に係る平面ディスプレイ用マルチスタンドの正面斜視図。
【図２】本考案に係る平面ディスプレイ用マルチスタンドの側面図。
【図３】本考案に係る平面ディスプレイ用マルチスタンドの組立説明図。
【図４】本考案の別仕様を示した正面斜視図。
【考案を実施するための形態】
【実施例】
【０００８】  本考案の実施例を図に基づいて説明する。図１及び図２は平面ディスプレイＡを、上下に各２面づつ計４面を設置した場合の正面斜視図と側面図であり、本体台座部１の左右角パイプ底面四隅に移動用のキャスター８と固定用のアジャスター９を取付け、ベースフレームセンターに設けられた嵌入孔１０に本体支柱２を挿入し立設固定する。本体取付金具３は、前記本体支柱２に各々設置固定後、それぞれのモニターフレーム４を横設挟持させ、ボルト１１にて固定させる。さらに平面ディスプレイＡの背面取付用インサートナットに一対のモニター取付金具５を螺合付設し、前記モニターフレーム４に一台づつ掛止固定させる。これにより、４台の平面ディスプレイを載置したマルチスタンドとなる。【０００９】  図３は、本考案の各々の部材ごとに分けた組立説明図である。本体台座部１のベースフレームは、２本の不等辺に曲げたコの字曲げ板の短い辺を内側に曲げ、長い辺を外側に曲げて各々の長い辺同士を先端で溶着して形成したコの字の溝に上面のカバーと内側の仕切り板を施し箱状の嵌入孔１０とする。さらに嵌入孔１０の前後面板には、ボルト１１止め用の貫通孔を設ける。このことにより嵌入孔１０に本体支柱２を挿入立設し前後からボルト１１止めを行うことによって、本体台座部１と本体支柱２が一体化し強度が増す。また、本体支柱２の背面側と本体台座部１のベースフレーム上面に三角補強板７を接続固定することによって、より堅牢な構造となる。【００１０】  本体支柱２は、コの字曲げ板をＣ型鋼で包み込み角パイプ状に溶着した左右一対の支柱間に、コの字型の前面パネルを横架溶着し、上部、下部に各々補強を施して、一体型の角型支柱とする。さらに前記本体支柱２の左右外側両面と下部前後両面に複数個の貫通穴と内側にはナット溶接を施しておく。これにより、本体取付金具３との接続固定と本体台座部１ベースフレームセンターの嵌入孔１０への挿入立設固定が可能となる。同様に、背面両サイドの任意の位置にも同じ加工を施すことによって、移動用のハンドル７を接続することが可能となる。【００１１】  本体取付金具３は、コの字曲げ板の両サイド立上げ面に複数個の接続用貫通孔を施し、山型面の両切端側には、両コーナーを三角板で補強したＬ型アングルを溶着させ、該Ｌ型アングルの立上げ面にも複数個の接続用貫通孔を施す構造とする。これにより、前記本体支柱２とモニターフレーム４を堅牢に狭持接続固定させることができる。又、前記本体支柱２と本体取付金具３の挟持貫通孔を横方向の長孔とすることによって、平面ディスプレイＡの荷重による前面傾斜の調整をすることが可能となる。【００１２】  モニターフレーム４は、平面ディスプレイＡの質量に耐えうる様、強度の保てる角型のアルミ構造材を用い各々の四面長手方向に締結用のナットを入れ込める１本乃至２本の溝を有している。前記本体取付金具３を前記本体支柱２に設置固定させ、さらに該モニターフレーム４を横設狭持固定させて、平面ディスプレイＡの背面取付用インサートナットに一対のモニター取付金具６を螺合付設し、平面ディスプレイＡをモニターフレーム４に掛持固定させる。この時、モニターフレーム４の溝に入れられた締結用ナットは、フリーにスライド��るので平面ディスプレイＡの横方向の位置調整が自在となる。【００１３】  モニター取付金具５は、平面ディスプレイＡの背面取付孔のＶＥＳＡ規格に準拠するだけでなく、ＶＥＳＡ規格に準拠しない平面ディスプレイＡにも対応できる様、コの字曲げ板の山型面に複数個の長孔を貫通させ、また立上げ面内側には三角補強と左右の水平調整用ナットを溶着させたコの字型のフック金具と固定用のクランク曲げ金具の受け座を溶着させる。このことにより、平面ディスプレイＡの背面取付用インサートナットにモニター取付金具５を自在に取付ける事ができ、さらにフック金具を用いて、前記モニターフレーム４に掛止固定できる。又、本考案の平面ディスプレイ用マルチスタンドに設置する平面ディスプレイＡの形状によっては、上下のモニター取付金具５を連結して各々平面ディスプレイＡ間の隙間間隔を均等にできる様、オプションとしてのジョイント金具を用意すると良い。【００１４】  図４は、本考案の別仕様を示した正面斜視図である。本体台座部１と本体支柱２を利用して別製のモニター取付金具と本体取付金具を製作すれば単独としての大画面ディスプレイを設置するスタンドとしても利用できる。
【符号の説明】
【００１５】１  本体台座部
２  本体支柱
３  本体取付金具
４  モニターフレーム
５  モニター取付金具
６  三角補強板
７  ハンドル
８  キャスター
９  アジャスター
１０嵌入孔
１１取付ボルト
Ａ  平面ディスプレイ
【図１】
0003182916.tif 000003
【図２】
0003182916.tif 000004
【図３】
0003182916.tif 000005
【図４】
0003182916.tif 000006